(57)【要約】【課題】直観的なタブの切り替え操作が可能なコンテンツ表示装置を提供すること。【解決手段】本発明に係るコンテンツ表示装置は、複数のタブを表示するタブ表示領域（１０３）及びコンテンツを表示するコンテンツ表示領域（１０２）を有する映像表示器（１４）と、複数の方向を指示することが可能な第２方向キー群（１７ｇ）を備え、タブ表示領域（１０３）に表示された複数のタブのうち、１つのタブに対応するコンテンツをコンテンツ表示領域（１０２）に表示させ、第２方向キー群（１７ｇ）が指示する方向に応じてコンテンツ表示領域（１０２）に表示されるコンテンツを切り替え、第２方向キー群（１７ｇ）が指示する方向に応じてタブ表示領域（１０３）の表示形態を変更する。【選択図】      図１
2009016942.tif 000002
【特許請求の範囲】
【請求項１】
複数のタブを表示するタブ表示領域及びコンテンツを表示するコンテンツ表示領域を有する表示手段と、
前記表示手段の前記タブ表示領域に表示された複数のタブのうち、１つのタブに対応するコンテンツを前記コンテンツ表示領域に表示させるコンテンツ表示制御手段と、
複数の方向を指示する方向指示手段と、
前記方向指示手段が指示する方向に応じて、前記コンテンツ表示領域に表示されるコンテンツを切り替える表示切り替え手段と、
前記方向指示手段が指示する方向に応じて、前記タブ表示領域の表示形態を変更するタブ表示制御手段と、
を備えたコンテンツ表示装置。
【請求項２】
前記方向指示手段は、異なる方向を指示するキーを備え、当該キーは、前記コンテンツ表示領域のスクロールを行うための第１の方向キーとは別に備えられる、請求項１に記載のコンテンツ表示装置。
【請求項３】
前記方向指示手段は、異なる方向を指示するキーを備え、当該キーは、前記コンテンツ表示領域のスクロールを行うための第１の方向キーの外側に、当該第１の方向キーと同心となるように配置される、請求項１に記載のコンテンツ表示装置。
【請求項４】
前記表示切り替え手段は、前記方向指示手段が左又は右を指示する場合に、前記コンテンツ表示領域に表示されるコンテンツを、前記１つのタブの左又は右のタブに対応するコンテンツに切り替える、請求項１に記載のコンテンツ表示装置。
【請求項５】
前記タブ表示制御手段は、前記方向指示手段が上方を指示する場合に、前記タブ表示領域を非表示とし、前記方向指示手段が下方を指示する場合に、前記タブ表示領域を表示させる、請求項１に記載のコンテンツ表示装置。
【請求項６】
前記タブ表示制御手段は、前記方向指示手段が指示する方向に応じて、前記タブ表示領域の表示位置を変更する、請求項１に記載のコンテンツ表示装置。
【請求項７】
前記タブ表示制御手段は、前記方向指示手段が上方を指示する場合に、前記複数のタブを縦長のタブ表示領域に表示し、前記方向指示手段が右方を指示する場合に、前記複数のタブを横長のタブ表示領域に表示する、請求項１に記載のコンテンツ表示装置。
【請求項８】
前記タブ表示領域は第１の表示領域及び第２の表示領域を含み、
前記タブ表示制御手段は、前記方向指示手段が指示する方向に応じて、前記第１の表示領域に表示されるタブと前記第２の表示領域に表示されるタブを入れ替えて表示する、請求項１に記載のコンテンツ表示装置。
【請求項９】
前記表示切り替え手段は、前記方向指示手段が上方を指示する場合に、前記コンテンツ表示領域に表示されるコンテンツを拡大し、前記方向指示手段が下方を指示する場合に、前記コンテンツを縮小させる、請求項１に記載のコンテンツ表示装置。
【発明の詳細な説明】
【技術分野】
【０００１】
本発明は複数のコンテンツを１ウィンドウ内に表示するコンテンツ表示装置に関する。
【背景技術】
【０００２】
タブ機能を用いて放送コンテンツを閲覧する技術として、特許文献１には、マークアップランゲージ文書を閲覧するためのブラウザプログラムが記載されている。当該ブラウザプログラムでは、ディスプレイ装置によって提供される表示領域上に複数のウィンドウが重ね合わされて表示される。また、各ウィンドウに対応するタブも表示領域上に設けられており、タブが操作されると、操作されたタブに対応するウィンドウが最上位層で表示される。このタブ操作は、操作手段に設けられたウィンドウと同数のカラーボタン等を用いて行われる。各ウィンドウには、カラーボタンに対応したウィンドウ対応色が設定されている。
【０００３】
また、特許文献２に記載された放送受信装置では、リモートコントローラに備えられたページ切換キーの操作によって、電子番組表のページを切り替えることができる。この方送受信装置においては、ページ切換えキーが指示する方向に応じて、電子番組表のページを時間方向に切り替えたり、チャンネル表示に関するページ切り替え行ったりすることができる。
【特許文献１】国際公開第２００４／０８４０５６号パンフレット（第１０頁、図１２）
【特許文献２】特開２００６−９４４１０号公報（段落００５１、第８頁、図９）
【発明の開示】
【発明が解決しようとする課題】
【０００４】
上述の特許文献１に記載されたブラウザプログラムでは、選択中のタブから当該タブの右又は左のタブに表示を切り替えたい場合であっても、対応するカラーボタンを操作しなくてはならず、直観的に操作を理解できない。また、上述のブラウザプログラムでは、表示領域に表示可能なウィンドウの数が、操作手段に設けられたボタンの数と同数に限られている。
【０００５】
上述の特許文献２に記載された放送受信装置では、ページ切換キーの指示する方向に応じて電子番組表の表示を切り替えることができ、ユーザが直観的に操作を理解しやすい。しかしながら、この放送受信装置では、電子番組表内での表示を切り替えることはできるが、例えばタブブラウザによって表示された複数のタブを左右に切り替えたりすることはできない。
【０００６】
本発明は、前記のような問題に鑑みなされたもので、直感的にタブの切り替えが可能なコンテンツ表示装置を提供することを目的とする。
【課題を解決するための手段】
【０００７】
本発明に係るコンテンツ表示装置は、複数のタブを表示するタブ表示領域及びコンテンツを表示するコンテンツ表示領域を有する表示手段と、前記表示手段の前記タブ表示領域に表示された複数のタブのうち、１つのタブに対応するコンテンツを前記コンテンツ表示領域に表示させるコンテンツ表示制御手段と、複数の方向を指示することが可能な方向指示手段と、前記方向指示手段が指示する方向に応じて、前記コンテンツ表示領域に表示されるコンテンツを切り替える表示切り替え手段と、前記方向指示手段が指示する方向に応じて、前記タブ表示領域の表示形態を変更するタブ表示制御手段と、を備える。
【発明の効果】
【０００８】
本発明のコンテンツ表示装置によれば、方向指示手段が指示する方向に応じて、コンテンツ表示領域に表示されるコンテンツを切り替えることができる。また方向指示手段が指示する方向に応じて、タブ表示領域の表示形態も変更することができる。
【発明を実施するための最良の形態】
【０００９】
以下、図面を参照して本発明によるコンテンツ表示装置の実施形態を説明する。
【００１０】
（第１の実施形態）
図１は、本発明によるコンテンツ表示装置の実施形態に係る放送受信装置１１の電気的構成を示すブロック図である。
【００１１】
この放送受信装置１１は、装置各部の動作を制御する制御部５６を備えている。制御部５６は、ＣＰＵ（Central Processing Unit）等を内蔵している。制御部５６は、操作部１６から入力される操作信号や、リモートコントローラ１７から送信され受光部１８を介して受信される操作信号に応じて、ＲＯＭ５７に予め記憶されたシステム制御プログラム及び各種処理プログラムを起動させる。制御部５６は、起動したプログラムに従って、ＲＡＭ５８をワークメモリとして装置各部の動作を制御する。各部の動作制御に必要な各種の設定情報及び制御情報等は、不揮発性メモリ５９に格納される。
【００１２】
図２は、リモートコントローラ１７の外観を示している。このリモートコントローラ１７には、電源キー１７ａ、入力切り替えキー１７ｂ、衛星デジタル放送チャンネルのダイレクト選局キー１７ｃ、地上波放送チャンネルのダイレクト選局キー１７ｄ、クイックキー１７ｅ、第１方向キー１７ｆ、第２方向キー群１７ｇ、チャンネルアップダウンキー１７ｎ、音量調整キー１７ｏ等が設けられている。円環状に配置された第２方向キー群１７ｇは、円形の第１方向キー１７ｆの外側に、当該第１方向キーと同心となるように配置されている。第１方向キー１７ｆは上下左右の４方向を指示可能であり、表示画面を上下左右にスクロールする際に用いられる。第２方向キー群１７ｇには、「右」キー１７ｈ、「左」キー１７ｉ、「上」キー１７ｊ、「下」キー１７ｋが備えられている。第２方向キー群１７ｇは、本実施の形態においては、タブの選択やタブの表示形態の変更を指示するために用いられる。「右」キー１７ｈには、右方向を指す矢印など、右方向を直観的に認識できる符号が付されている。同様に、「左」キー１７ｉ、「上」キー１７ｊ、「下」キー１７ｋにも、対応する方向を直観的に認識できる符号が付されている。
【００１３】
ＢＳ／ＣＳデジタル放送受信用のアンテナ４３は、衛星デジタルテレビジョン放送信号を受信する。受信されたデジタル放送信号は、入力端子４４を介して衛星デジタル放送用のチューナ４５に供給される。チューナ４５は、受信したデジタル放送信号のチューニングを行い、チューニングしたデジタル放送信号をＰＳＫ（Phase Shift Keying）復調器４６に送信する。ＰＳＫ復調器４６はデジタル放送信号の復調を行い、復調したデジタル放送信号を信号処理部４７に出力する。
【００１４】
地上デジタル放送受信用のアンテナ４８は、地上デジタルテレビジョン放送信号を受信する。受信されたデジタル放送信号は、入力端子４９を介して地上デジタル放送用のチューナ５０に供給される。チューナ５０は、受信したデジタル放送信号のチューニングを行い、チューニングしたデジタル放送信号をＯＦＤＭ（Orthogonal Frequency Division Multiplexing）復調器５１に送信する。ＯＦＤＭ復調器５１はデジタル放送信号の復調を行い、復調したデジタル放送信号を上記信号処理部４７に出力する。
【００１５】
アンテナ４８は、地上波アナログ放送信号も受信可能である。受信された地上波アナログ放送信号は、図示しない分配器によって分配されて、アナログチューナ６８に供給される。アナログチューナ６８は、受信したアナログ放送信号のチューニングを行い、チューニングしたアナログ放送信号をアナログ復調器６９に送信する。アナログ復調器６９はアナログ放送信号の復調を行い、復調したアナログ放送信号を信号処理部４７に出力する。
【００１６】
信号処理部４７は、ＰＳＫ復調器４６およびＯＦＤＭ復調器５１から出力されたデジタル放送信号に、適切なデジタル信号処理を施す。デジタル放送信号は、データ信号、映像信号及び音声信号に分離される。分離された映像信号はグラフィック処理部５２に、音声信号は音声処理部５３に出力される。また、信号処理部４７は、アナログ復調器６９から出力された放送信号、あるいはライン入力端子からの入力信号を、所定のフォーマットのデジタルの映像信号及び音声信号に変換する。デジタルに変換された映像信号はグラフィック処理部５２に、音声信号は音声処理部５３に出力される。
【００１７】
ＯＳＤ（On Screen Display）信号生成部５４は、制御部５６の制御に従って、ＵＩ（ユーザ・インタフェース）画面などを表示するためのＯＳＤ信号を生成する。また上述の信号処理部４７において、デジタル放送信号から分離されたデータ信号は、ＯＳＤ（On Screen Display）信号生成部５４により適切なフォーマットのＯＳＤ信号に変換され、グラフィック処理部５２に出力される。
【００１８】
グラフィック処理部５２は、信号処理部４７から出力されるデジタルの映像信号のデコード処理を行う。デコードされた映像信号は、ＯＳＤ信号生成部５４から出力されたＯＳＤ信号と重ね合わせて合成され、映像処理部５５に出力される。グラフィック処理部５２は、デコードされた映像信号またはＯＳＤ信号を、映像処理部５５に選択的に出力することもできる。また、映像信号及びＯＳＤ信号がそれぞれ画面の半分を構成するように組み合わせて出力することもできる。
【００１９】
映像処理部５５は、グラフィック処理部５２から入力された信号を、映像表示器１４で表示可能なフォーマットのアナログ映像信号に変換する。アナログに変換された映像信号は、映像表示器１４に出力され、表示される。
【００２０】
音声処理部５３は、入力された音声信号を、スピーカ１５で再生可能なフォーマットのアナログ音声信号に変換する。アナログに変換された音声信号は、スピーカ１５に出力されて再生される。
【００２１】
カードホルダ６１は、カードＩ／Ｆ（Interface）６０を介して制御部５６に接続されている。第１のメモリカード１９は、このカードホルダ６１に装着可能である。第１のメモリカード１９は、例えばＳＤ（Secure Digital）メモリカード、ＭＭＣ（Multimedia Card）及びメモリスティック等の記憶媒体である。カードホルダ６１に装着された第１のメモリカード１９、及び制御部５６は、カードＩ／Ｆ６０を介して情報の伝達を行なうことができる。制御部５６は、第１のメモリカード１９に、画像や音楽、放送番組等のデータを格納することができる。また制御部５６は、第１のメモリカード１９に格納された画像や音楽、放送番組等のデータを読み出して、映像表示器１４に表示させたり、スピーカ１５から音声出力させたりすることができる。
【００２２】
カードホルダ６３は、カードＩ／Ｆ６２を介して制御部５６に接続されている。第２のメモリカード２０は、このカードホルダ６３に装着可能である。第２のメモリカード２０は、例えば放送受信契約の契約情報等を記憶する記憶媒体である。カードホルダ６３に装着された第２のメモリカード２０、及び制御部５６は、カードＩ／Ｆ６２を介して情報の伝達を行なうことができる。
【００２３】
第１のＬＡＮ端子２１は、通信Ｉ／Ｆ６４を介して制御部５６に接続されている。第１のＬＡＮ端子２１は、イーサネット（登録商標）を用いたＬＡＮ対応ＨＤＤ（Hard Disk Drive）専用ポートとして使用される。第１のＬＡＮ端子２１にＬＡＮ対応のＨＤＤがＮＡＳ（Network Attached Storage）として接続された場合、当該ＨＤＤ及び制御部５６は、通信Ｉ／Ｆ６４を介して、情報の伝達を行うことができる。この場合、制御部５６は、ＤＨＣＰ（Dynamic Host Configuration Protocol）サーバとして機能し、第１のＬＡＮ端子２１に接続された当該ＬＡＮ対応のＨＤＤにＩＰ（Internet Protocol）アドレスを割り当てて制御している。
【００２４】
制御部５６は、当該ＨＤＤに画像や音楽、放送番組等のデータを格納することできる。また制御部５６は、当該ＨＤＤに格納された画像や音楽、放送番組等のデータを読み出して、映像表示器１４に表示させたり、スピーカ１５から音声出力させたりすることができる。ＬＡＮ対応ＨＤＤ専用ポートとしての第１のＬＡＮ端子２１を設けることにより、他のネットワーク環境やネットワーク使用状況等に影響されることなく、当該ＨＤＤに対してハイビジョン画質による番組の情報記録を安定して行なうことが可能となる。
【００２５】
第２のＬＡＮ端子２２は、通信Ｉ／Ｆ６５を介して制御部５６に接続されている。第２のＬＡＮ端子２２は、イーサネット（登録商標）を用いた一般的なＬＡＮ対応ポートとして使用される。この第２のＬＡＮ端子２２には、例えばハブを用いて、ＬＡＮ対応のＨＤＤ、ＰＣ（Personal Computer）、ＨＤＤ内蔵のＤＶＤ（Digital Versatile Disk）レコーダ等の機器が接続される。第２のＬＡＮ端子２２に接続された機器及び制御部５６は、通信Ｉ／Ｆ６５を介して情報の伝達を行なうことができる。第２のＬＡＮ端子２２にハブを介してブロードバンドルータが接続されている場合、制御部５６は、当該ブロードバンドルータを介して例えばインターネット等のネットワークに接続することができる。このネットワークにはＰＣや携帯電話等が接続され、放送受信装置１１との間で情報の伝達を行なうことができる。
【００２６】
通信Ｉ／Ｆ６５を介して制御部５６に接続されるＨＤＤ、ＰＣ、ＤＶＤレコーダ等の機器には、ハードディスクやＤＶＤ（光ディスク）等の記憶媒体を装着することが可能である。制御部５６は、当該記憶媒体に、ハブ及び当該ハブに接続される機器を介して画像や音楽、放送番組等のデータを格納することができる。また制御部５６は、当該記憶媒体に格納された画像や音楽、放送番組等のデータを読み出して、映像表示器１４に表示させたり、スピーカ１５から音声出力させたりすることができる。
【００２７】
ＵＳＢ（Universal Serial Bus）端子２３は、ＵＳＢ Ｉ／Ｆ６６を介して制御部５６に接続されている。ＵＳＢ端子２３は、一般的なＵＳＢ対応ポートとして使用される。ＵＳＢ端子２３には、例えばハブを介して、携帯電話、デジタルカメラ、メモリカードに対するカードリーダ／ライタ、ＨＤＤ、キーボード等が接続される。制御部５６は、ＵＳＢ端子２３を介して接続される機器との間で、情報の伝達を行うことができる。
【００２８】
ｉ．Link（登録商標）端子２４は、ｉ．Link Ｉ／Ｆ６７を介して制御部５６に接続されている。ｉ．Link端子２４には、例えばＡＶ−ＨＤＤ、Ｄ（Digital）−ＶＨＳ（Video Home System）等がシリアル接続される。制御部５６は、ｉ．Link端子２４及びｉ．Link Ｉ／Ｆ６７を介して接続される機器との間で、情報の伝達を行うことができる。
【００２９】
次に、前記構成による放送受信装置１１の動作について説明する。
【００３０】
本実施形態に係る放送受信装置１１では、様々なコンテンツ（ＯＳＤ画面、電子番組表、ウェブページ、アンテナ４３又はアンテナ４８によって受信した放送番組、ネットワークを介して配信された番組、映像データ等）を１つのウィンドウ内に表示し、タブを用いて表示コンテンツを切り替える。このため、コンテンツごとにウィンドウを作成して表示する場合に比べて、メモリやシステムリソースを節約できる。
【００３１】
図３は、第１の実施形態による映像表示器１４の表示領域１００の表示例を示す図である。図３の（Ａ）に示すように、映像表示器１４の表示領域１００上にはウィンドウ１０１が設けられている。当該ウィンドウ１０１内のコンテンツ表示領域１０２には、様々なコンテンツが表示可能である。コンテンツ表示領域１０２の下方に設けられたタブ表示領域１０３には、複数のタブ（本実施形態では４つのタブＴ１〜Ｔ４）が並列して表示される。表示されたタブ上には、放送番組のチャンネル情報といった当該タブに対応する表示コンテンツを示す文字情報（あるいはアイコン等）が重ねて表示される。タブ表示領域１０３に表示された複数のタブから１つのタブがユーザによって選択されると、当該選択されたタブに対応する表示コンテンツがコンテンツ表示領域１０２に表示される。図３の（Ａ）ではタブＴ２が選択されているため、当該タブＴ２に対応する表示コンテンツ（放送番組）がコンテンツ表示領域１０２に表示されている。以下では、ユーザによって選択され、対応する表示コンテンツがコンテンツ表示領域１０２に表示されているタブを「現行タブ」と称する。選択された現行タブは、図３の（Ａ）に示すように、コンテンツ枠１０４と一体化して表示される、あるいは色を変えて表示されるなどして強調表示される
ユーザはリモートコントローラ１７に備えられた第１方向キー１７ｆを操作することによって、コンテンツ表示領域１０２に表示されているコンテンツの表示画面をスクロールして閲覧することができる。また、第２方向キー群１７ｇ（「右」キー１７ｈ、「左」キー１７ｉ、「上」キー１７ｊ、「下」キー１７ｋ）を操作することによって、コンテンツ表示領域１０２に表示されるコンテンツを切り替えたり、タブの表示形態を変更したりすることができる。
【００３２】
図４は、第１の実施形態における表示切り替え処理を示すフローチャートである。
【００３３】
この表示切り替え処理は、ユーザがリモートコントローラ１７に備えられた第２方向キー群１７ｇを操作すると開始される。
【００３４】
制御部５６は、ユーザが操作したキーが「右」キー１７ｈであるか否かを判断する（ブロックＡ１）。ユーザが「右」キー１７ｈを操作すると（ブロックＡ１でＹＥＳ）、制御部５６は現行タブの右隣のタブに対応するコンテンツをコンテンツ表示領域１０２に表示し、当該右隣のタブを現行タブに代わって強調表示する（ブロックＡ２）。すなわち、当該右隣のタブが新たな現行タブとして選択される。図３（Ａ）の表示画面が表示領域１００に表示されている状態において、ユーザが「右」キー１７ｈの操作を行うと、表示領域１００の表示画面は図３（Ｂ）のように更新される。図３（Ａ）では、現行タブとしてタブＴ２が選択され強調表示されていた。また、タブＴ２に対応する表示コンテンツ（放送番組）がコンテンツ表示領域１０２に表示されていた。従って、ユーザが「右」キー１７ｈの操作を行うと、タブＴ２の右隣のタブＴ３がタブＴ２に代わって強調表示され、タブＴ３に対応する表示コンテンツ（ウェブページ）がコンテンツ表示領域１０２に表示される。
【００３５】
現行タブとして右端のタブＴ４が選択され強調表示されている状態において、ユーザが「右」キー１７ｈの操作を行う場合、タブＴ４の右隣にタブは存在しない。この場合は左端のタブＴ１が循環的にタブＴ４の右隣のタブであるとされて強調表示され、当該タブＴ１に対応する表示コンテンツ（図３の例では電子番組表）がコンテンツ表示領域１０２に表示される。
【００３６】
ユーザが操作したキーが「右」キー１７ｈではないと判断された場合（ブロックＡ１でＮＯ）、制御部５６は、続いてユーザが操作したキーが「左」キー１７ｉであるか否かを判断する（ブロックＡ３）。ユーザが「左」キー１７ｉを操作すると（ブロックＡ３でＹＥＳ）、制御部５６は現行タブの左隣のタブに対応するコンテンツをコンテンツ表示領域１０２に表示し、当該左隣のタブを現行タブに代わって強調表示する（ブロックＡ４）。すなわち、当該左隣のタブが新たな現行タブとして選択される。図３（Ａ）の表示画面が表示領域１００に表示されている状態において、ユーザが「左」キー１７ｉの操作を行うと、現行タブＴ２の左隣のタブＴ１がタブＴ２に代わって強調表示される。また、タブＴ１に対応する表示コンテンツ（電子番組表）がコンテンツ表示領域１０２に表示される。
【００３７】
現行タブとして左端のタブＴ１が選択され強調表示されている状態において、ユーザが「左」キー１７ｉの操作を行う場合、右端のタブＴ４が循環的にタブＴ１の左隣のタブであるとして強調表示され、当該タブＴ４に対応する表示コンテンツ（図３の例ではメニュー画面）がコンテンツ表示領域１０２に表示される。
【００３８】
ユーザが操作したキーが「左」キー１７ｉではないと判断された場合（ブロックＡ３でＮＯ）、制御部５６は、続いてユーザが操作したキーが「下」キー１７ｋであるか否かを判断する（ブロックＡ５）。ユーザが「下」キー１７ｋを操作すると（ブロックＡ５でＹＥＳ）、制御部５６はタブ表示領域１０３を非表示とし、コンテンツ表示領域１０２を全画面表示する（ブロックＡ６）。図３（Ａ）の表示画面が表示領域１００に表示されている状態において、ユーザが「下」キー１７ｋの操作を行う場合、表示領域１００の表示画面は図３（Ｃ）のように更新される。タブ表示領域１０３が非表示となり、現行タブＴ２に対応する表示コンテンツ（放送番組）が表示されているコンテンツ表示領域１０２がウィンドウ１０１上に全画面表示される。
【００３９】
すでにコンテンツ表示領域１０２が全画面表示されている状態（図３（Ｃ）の表示状態）において、ユーザが「下」キー１７ｋの操作を行った場合は、表示領域１００の表示状態は変わらない。
【００４０】
ユーザが操作したキーが「下」キー１７ｋではないと判断された場合（ブロックＡ５でＮＯ）、制御部５６はユーザが操作したキーは「上」キー１７ｊであると判断する。ユーザが「上」キー１７ｊを操作すると、制御部５６はコンテンツ表示領域１０２の全画面表示を解除し、非表示にされていたタブ表示領域１０３を表示させる（ブロックＡ７）。すなわち、表示領域１００の表示状態が、図３（Ｃ）に示す表示状態から図３（Ａ）に示す表示状態に復帰する。すでにタブ表示領域１０３が表示されている状態（図３（Ａ）又は（Ｂ）に示す表示状態）において、ユーザが「上」キー１７ｊの操作を行った場合は、表示領域１００の表示状態は変わらない。
【００４１】
第１の実施形態においては、第２方向キー群１７ｇに含まれる「右」キー１７ｈ、「左」キー１７ｉの操作によって、現行タブを左右に切り替えることができる。「右」キー１７ｈ、「左」キー１７ｉには、それぞれ対応する方向を指示する符号が付されている。ユーザは、これらの符号を参照してタブの切り替えを行うことができる。従って操作が直観的に理解しやすい。
【００４２】
また、「下」キー１７ｋの操作が行われると、コンテンツ表示領域１０２が下方向に拡張されて、ウィンドウ１０１上に全画面表示される。「上」キー１７ｊが操作されると、コンテンツ表示領域１０２が上方に短縮されて、全画面表示が解除される。「下」キー１７ｋには下方を指示する符号が、「上」キー１７ｊには上方を指示する符号が付されている。ユーザは、これらの符号を参照して全画面表示の設定又は解除を行うことができる。従って操作が直観的に理解しやすい。
【００４３】
第１の実施形態においては、「下」キー１７ｋの操作があると、タブ表示領域１０３を非表示として、コンテンツ表示領域１０２をウィンドウ１０１に全画面表示させた。しかしながら、「下」キー１７ｋの操作に応じてコンテンツ表示領域１０２を段階的に拡張し、タブ表示領域１０３を段階的に短縮して、コンテンツ表示領域１０２及びタブ表示領域１０３の表示比率を段階的に変更するようにしてもよい。同様に「上」キー１７ｊの操作に応じて、コンテンツ表示領域１０２を段階的に短縮してもよい。「上」キー１７ｊ及び「下」キー１７ｋに付された方向を指示する符号を参照して、コンテンツ表示領域１０２を段階的に拡張、又は短縮することが可能となる。
【００４４】
以下、本発明によるコンテンツ表示装置の他の実施形態を説明する。他の実施形態の説明において第１の実施形態と同一部分は同一参照数字を付して詳細な説明は省略する。
【００４５】
（第２の実施形態）
第２の実施形態のブロック図は第１の実施形態のブロック図と同一であるので、図示を省略する。
【００４６】
図５は、第２の実施形態による映像表示器１４の表示領域１００の表示例を示す図である。第１の実施形態と同様に、映像表示器１４の表示領域１００上にはウィンドウ１０１が設けられている。当該ウィンドウ１０１内のコンテンツ表示領域１０２には、様々なコンテンツが表示可能である。ウィンドウ１０１の下方には矩形のタブ表示領域１０３ａが設けられ、このタブ表示領域１０３ａには、複数のタブ（本実施形態では４つのタブＴ１〜Ｔ４）が並列して表示される。表示されたタブ上には、放送番組のチャンネル情報といった当該タブに対応する表示コンテンツを示す文字情報（あるいはアイコン等）が重ねて表示される。タブ表示領域１０３ａに表示された複数のタブから１つのタブがユーザによって選択されると、当該選択されたタブに対応する表示コンテンツがコンテンツ表示領域１０２に表示される。図５（Ａ）ではタブＴ２が選択されているため、当該タブＴ２に対応する表示コンテンツ（放送番組）がコンテンツ表示領域１０２に表示されている。ユーザによって選択され、対応する表示コンテンツがコンテンツ表示領域１０２に表示されているタブを「現行タブ」と称する。選択された現行タブは、図５（Ａ）に示すように、コンテンツ枠１０４と一体化して表示される、あるいは色を変えて表示されるなどして強調表示される。
【００４７】
ユーザはリモートコントローラ１７に備えられた第１方向キー１７ｆを操作することによって、コンテンツ表示領域１０２に表示されているコンテンツの表示画面をスクロールして閲覧することができる。また、第２方向キー群１７ｇ（「右」キー１７ｈ、「左」キー１７ｉ、「上」キー１７ｊ、「下」キー１７ｋ）を操作することによって、コンテンツ表示領域１０２に表示されるコンテンツを切り替えたり、タブの表示形態を変更したりすることができる。
【００４８】
図６は、第２の実施形態における表示切り替え処理を示すフローチャートである。
【００４９】
この表示切り替え処理は、ユーザがリモートコントローラ１７に備えられた第２方向キー群１７ｇを操作すると開始される。
【００５０】
制御部５６は、タブがタブ表示領域１０３ａに並列表示されているか否かを判断する（ブロックＢ１）。図５（Ａ）または（Ｂ）に示すように、タブ表示領域１０３ａにタブが並列表示されている場合（ブロックＢ１でＹＥＳ）、制御部５６は、ユーザが操作したキーが「右」キー１７ｈであるか否かを判断する（ブロックＢ２）。ユーザが「右」キー１７ｈを操作すると（ブロックＢ２でＹＥＳ）、制御部５６は現行タブの右隣のタブに対応するコンテンツをコンテンツ表示領域１０２に表示し、当該右隣のタブを現行タブに代わって強調表示する（ブロックＢ３）。すなわち、当該右隣のタブが新たな現行タブとして選択される。図５（Ａ）の表示画面が表示領域１００に表示されている状態において、ユーザが「右」キー１７ｈの操作を行うと、表示領域１００の表示状態は図５（Ｂ）のように更新される。図５（Ａ）では、現行タブとしてタブＴ２が選択され強調表示されていた。また、タブＴ２に対応する表示コンテンツ（放送番組）がコンテンツ表示領域１０２に表示されていた。従って、ユーザが「右」キー１７ｈの操作を行うと、タブＴ２の右隣のタブＴ３がタブＴ２に代わって強調表示され、タブＴ３に対応する表示コンテンツ（ウェブページ）がコンテンツ表示領域１０２に表示される。
【００５１】
現行タブとして右端のタブＴ４が選択され強調表示されている状態において、ユーザが「右」キー１７ｈの操作を行う場合、タブＴ４の右隣にタブは存在しない。この場合は左端のタブＴ１が循環的にタブＴ４の右隣のタブであるとされて強調表示され、当該タブＴ１に対応する表示コンテンツ（図５の例では電子番組表）がコンテンツ表示領域１０２に表示される。
【００５２】
ユーザが操作したキーが「右」キー１７ｈではないと判断された場合（ブロックＢ２でＮＯ）、制御部５６は、ユーザが操作したキーが「左」キー１７ｉであるか否かを判断する（ブロックＢ４）。ユーザが「左」キー１７ｉを操作すると（ブロックＢ４でＹＥＳ）、制御部５６は現行タブの左隣のタブに対応するコンテンツをコンテンツ表示領域１０２に表示し、当該左隣のタブを現行タブに代わって強調表示する（ブロックＢ５）。すなわち、当該左隣のタブが新たな現行タブとして選択される。図５（Ａ）の表示画面が表示領域１００に表示されている状態において、ユーザが「左」キー１７ｉの操作を行うと、現行タブＴ２の左隣のタブＴ１がタブＴ２に代わって強調表示される。また、タブＴ１に対応する表示コンテンツ（電子番組表）がコンテンツ表示領域１０２に表示される。
【００５３】
現行タブとして左端のタブＴ１が選択され強調表示されている状態において、ユーザが「左」キー１７ｉの操作を行う場合、右端のタブＴ４が循環的にタブＴ１の左隣のタブであるとして強調表示され、当該タブＴ４に対応する表示コンテンツ（図５の例ではメニュー画面）がコンテンツ表示領域１０２に表示される。
【００５４】
ユーザが操作したキーが「左」キー１７ｉではないと判断された場合（ブロックＢ４でＮＯ）、制御部５６は、ユーザが操作したキーが「上」キー１７ｊであるか否かを判断する（ブロックＢ６）。ユーザが「上」キー１７ｊを操作すると（ブロックＢ６でＹＥＳ）、制御部５６は、タブＴ１〜Ｔ４を表示する領域を、ウィンドウ１０１内左側のタブ表示領域１０３ｂに変更する（ブロックＢ７）。図５（Ａ）の表示画面が表示領域１００に表示されている状態において、ユーザが「上」キー１７ｊの操作を行う場合、表示領域１００の表示状態は図５（Ｃ）のように更新される。すなわち、ウィンドウ１０１下方に設定された横長の矩形領域であるタブ表示領域１０３ａから、ウィンドウ１０１内左側に設定された縦長の矩形領域であるタブ表示領域１０３ｂへと、タブＴ１〜Ｔ４を表示する領域の表示位置が変更される。また、タブ表示領域１０３ａでは並列に配置されていたタブＴ１〜Ｔ４が、タブ表示領域１０３ｂでは縦列に配置される。現行タブＴ２に対応する表示コンテンツ（放送番組）は、タブ表示領域１０３ｂの右側に配置されるコンテンツ表示領域１０２´に表示される。
【００５５】
また「下」キー１７ｋが操作された場合（ブロックＢ６でＮＯ）は、表示領域１００の表示状態は変化せず、処理を終了する。
【００５６】
一方、図５（Ｃ）に示すようにタブがタブ表示領域１０３ｂに縦列表示されている状態で第２方向キー群１７ｇの操作が行われた場合（ブロックＢ１でＮＯ）、制御部５６は、ユーザが操作したキーが「上」キー１７ｊであるか否かを判断する（ブロックＢ８）。ユーザが「上」キー１７ｊを操作すると（ブロックＢ８でＹＥＳ）、制御部５６は現行タブの直上のタブに対応するコンテンツをコンテンツ表示領域１０２´に表示し、当該直上のタブを現行タブに代わって強調表示する（ブロックＢ９）。すなわち、当該直上のタブが新たな現行タブとして選択される。図５（Ｃ）の表示画面が表示領域１００に表示されている状態において、ユーザが「上」キー１７ｊの操作を行うと、現行タブＴ２の直上のタブＴ１がタブＴ２に代わって強調表示される。また、タブＴ１に対応する表示コンテンツ（電子番組表）がコンテンツ表示領域１０２´に表示される。
【００５７】
現行タブとして最も上のタブＴ１が選択され強調表示されている状態において、ユーザが「上」キー１７ｊの操作を行った場合は、最も下のタブＴ４が新たな現行タブとして強調表示され、当該タブＴ４に対応する表示コンテンツ（図５の例ではメニュー画面）がコンテンツ表示領域１０２´に表示される。
【００５８】
ユーザが操作したキーが「上」キー１７ｊではないと判断された場合（ブロックＢ８でＮＯ）、制御部５６は、続いてユーザが操作したキーが「下」キー１７ｋであるか否かを判断する（ブロックＢ１０）。ユーザが「下」キー１７ｋを操作すると（ブロックＢ１０でＹＥＳ）、制御部５６は現行タブの直下のタブに対応するコンテンツをコンテンツ表示領域１０２´に表示し、当該直下のタブを現行タブに代わって強調表示する（ブロックＢ１１）。すなわち、当該直下のタブが新たな現行タブとして選択される。図５（Ｃ）の表示画面が表示領域１００に表示されている状態において、ユーザが「下」キー１７ｋの操作を行うと、現行タブＴ２の直下のタブＴ３がタブＴ２に代わって強調表示される。また、タブＴ３に対応する表示コンテンツ（ウェブページ）がコンテンツ表示領域１０２´に表示される。
【００５９】
現行タブとして最も下のタブＴ４が選択され強調表示されている状態において、ユーザが「下」キー１７ｋの操作を行った場合は、最も上のタブＴ１が強調表示され、当該タブＴ１に対応する表示コンテンツ（図５の例では電子番組表）がコンテンツ表示領域１０２´に表示される。
【００６０】
ユーザが操作したキーが「下」キー１７ｋではないと判断された場合（ブロックＢ１０でＮＯ）、制御部５６は、続いてユーザが操作したキーが「右」キー１７ｈであるか否かを判断する（ブロックＢ１２）。ユーザが「右」キー１７ｈを操作すると（ブロックＢ１２でＹＥＳ）、制御部５６は、タブＴ１〜Ｔ４を表示する領域を、ウィンドウ１０１内下方のタブ表示領域１０３ａに変更する（ブロックＢ１３）。図５（Ｃ）の表示画面が表示領域１００に表示されている状態において、ユーザが「右」キー１７ｈの操作を行う場合、表示領域１００の表示状態は図５（Ａ）のように更新される。すなわち、ウィンドウ１０１内左側に設定された縦長の矩形領域であるタブ表示領域１０３ｂから、ウィンドウ１０１下方に設定された横長の矩形領域であるタブ表示領域１０３ａへと、タブＴ１〜Ｔ４を表示する領域が変更される。また、タブ表示領域１０３ｂでは縦列に配置されていたタブＴ１〜Ｔ４が、タブ表示領域１０３ａでは並列に配置される。現行タブＴ２に対応する表示コンテンツ（放送番組）は、タブ表示領域１０３ａの上方に配置されたコンテンツ表示領域１０２に表示される。
【００６１】
また「左」キー１７ｉが操作された場合（ブロックＢ１２でＮＯ）は、表示領域１００の表示状態は変化せず、処理を終了する。
【００６２】
第２の実施形態においては、タブがタブ表示領域１０３ａに並列に表示されている場合は、第２方向キー群１７ｇに含まれる「右」キー１７ｈ、「左」キー１７ｉの操作によって、現行タブを左右に切り替えることができる。「右」キー１７ｈ、「左」キー１７ｉには、それぞれ対応する方向を指示する符号が付されている。ユーザはこれらの符号を参照してタブの切り替えを行うことができるので、操作が直観的に理解しやすい。
【００６３】
また、「上」キー１７ｊの操作が行われると、タブＴ１〜Ｔ４を表示する領域が、ウィンドウ１０１下方のタブ表示領域１０３ａから、ウィンドウ１０１内左側のタブ表示領域１０３ｂに変更される。「上」キー１７ｊには上方を指示する符号が付されている。ユーザはこの符号を参照して、タブを配置する領域を変更できるので、操作が直観的に理解しやすい。
【００６４】
タブがタブ表示領域１０３ｂに縦列に表示されている場合は、第２方向キー群１７ｇに含まれる「上」キー１７ｊ、「下」キー１７ｋの操作によって、現行タブを上下に切り替えることができる。「上」キー１７ｊ、「下」キー１７ｋには、それぞれ対応する方向を指示する符号が付されている。ユーザはこれらの符号を参照してタブの切り替えを行うことができるので、操作が直観的に理解しやすい。
【００６５】
また、「右」キー１７ｈの操作が行われると、タブＴ１〜Ｔ４を表示する領域が、ウィンドウ１０１内左側のタブ表示領域１０３ｂから、ウィンドウ１０１下方のタブ表示領域１０３ａに変更される。ユーザは「右」キー１７ｈに付された符号を参照して、タブを配置する領域を変更できるので、操作が直観的に理解しやすい。
【００６６】
第２の実施形態においては、タブＴ１〜Ｔ４がタブ表示領域１０３ａにおいて並列に配置されている場合に「下」キー１７ｈが操作されても、表示領域１００の表示状態は変化せず、そのまま処理を終了した。しかしながら、タブＴ１〜Ｔ４がタブ表示領域１０３ａにおいて並列に配置されている場合に「下」キー１７ｈが操作されたら、第１の実施形態と同様に、コンテンツ表示領域１０２を全画面表示させるようにしてもよい。「下」キー１７ｈの操作に応じてコンテンツ表示領域１０２が下方に拡張し、直観的に理解しやすい操作が可能となる。
【００６７】
また、第２の実施形態においては、タブＴ１〜Ｔ４がタブ表示領域１０３ｂにおいて縦列に配置されている場合に「左」キー１７ｉが操作されても、表示領域１００の表示状態は変化せず、そのまま処理を終了した。しかしながら、タブＴ１〜Ｔ４がタブ表示領域１０３ｂにおいて縦列に配置されている場合に「左」キー１７ｉが操作されたら、コンテンツ表示領域１０２’を全画面表示させるようにしてもよい。「左」キー１７ｉの操作に応じてコンテンツ表示領域１０２’が左方に拡張し、直観的に理解しやすい操作が可能となる。
【００６８】
（第３の実施形態）
第３の実施形態のブロック図は第１の実施形態のブロック図と同一であるので、図示を省略する。
【００６９】
図７は、第３の実施形態による映像表示器１４の表示領域１００の表示例を示す図である。第１の実施形態と同様に、映像表示器１４の表示領域１００上にはウィンドウ１０１が設けられている。当該ウィンドウ１０１内のコンテンツ表示領域１０２には、様々なコンテンツが表示可能である。ウィンドウ１０１の下方には上方タブ表示領域１０３ｃ及び下方タブ表示領域１０３ｄが設けられている。上方タブ表示領域１０３ｃには、複数のタブ（本実施形態では４つのタブＴ１〜Ｔ４）が並列して表示される。下方タブ表示領域１０３ｄにも、上方タブ表示領域１０３ｃと同数のタブ（本実施形態では４つのタブＴ５〜Ｔ８）が並列して表示される。表示されたタブ上には、放送番組のチャンネル情報といった当該タブに対応する表示コンテンツを示す文字情報（あるいはアイコン等）が重ねて表示される。タブ表示領域１０３ｃ及び１０３ｄに表示された複数のタブから１つのタブがユーザによって選択されると、当該選択されたタブに対応する表示コンテンツがコンテンツ表示領域１０２に表示される。図７（Ａ）ではタブＴ４が選択されているため、当該タブＴ４に対応する表示コンテンツ（メニュー画面）がコンテンツ表示領域１０２に表示されている。ユーザによって選択され、対応する表示コンテンツがコンテンツ表示領域１０２に表示されているタブを「現行タブ」と称する。選択された現行タブは、図７（Ａ）に示すように、コンテンツ枠１０４と一体化して表示される、あるいは色を変えて表示されるなどして強調表示される。
【００７０】
ユーザはリモートコントローラ１７に備えられた第１方向キー１７ｆを操作することによって、コンテンツ表示領域１０２に表示されているコンテンツの表示画面をスクロールして閲覧することができる。また、第２方向キー群１７ｇ（「右」キー１７ｈ、「左」キー１７ｉ、「上」キー１７ｊ、「下」キー１７ｋ）を操作することによって、コンテンツ表示領域１０２に表示されるコンテンツを切り替えたり、タブの表示形態を変更したりすることができる。
【００７１】
図８は、第３の実施形態における表示切り替え処理を示すフローチャートである。
【００７２】
この表示切り替え処理は、ユーザがリモートコントローラ１７に備えられた第２方向キー群１７ｇを操作すると開始される。
【００７３】
制御部５６は、ユーザが操作したキーが「右」キー１７ｈであるか否かを判断する（ブロックＣ１）。ユーザが「右」キー１７ｈを操作すると（ブロックＣ１でＹＥＳ）、制御部５６は現行タブの右隣のタブに対応するコンテンツをコンテンツ表示領域１０２に表示し、当該右隣のタブを現行タブに代わって強調表示する（ブロックＣ２）。すなわち、当該右隣のタブが新たな現行タブとして選択される。ただし、タブＴ８の右隣のタブはタブＴ１、タブＴ４の右隣のタブはタブＴ５であるとする。
【００７４】
図７（Ａ）に示すように、上方タブ表示領域１０３ｃで最も右側のタブＴ４が、現行タブとして選択され強調表示されている状態において、ユーザが「右」キー１７ｈの操作を行った場合、Ｔ４の右隣のタブは存在しない。この場合は、タブＴ５がタブＴ４の右隣のタブであるとされ、表示領域１００の表示状態は、図７（Ｂ）のようになる。制御部５６は、上方タブ表示領域１０３ｃに表示されていたタブＴ１〜Ｔ４を下方タブ表示領域１０３ｄに表示し、下方タブ表示領域１０３ｄに表示されていたタブＴ５〜Ｔ８を上方タブ表示領域１０３ｃに表示して、上下のタブを入れ替える。また、現行タブＴ４の右隣のタブであるとされたタブＴ５が、上方タブ表示領域１０３ｃにおいて強調表示される。コンテンツ表示領域１０２には、タブＴ５に対応するコンテンツ（図７の例では放送番組）が表示される。
【００７５】
ユーザが操作したキーが「右」キー１７ｈではないと判断された場合（ブロックＣ１でＮＯ）、制御部５６は、続いてユーザが操作したキーが「左」キー１７ｉであるか否かを判断する（ブロックＣ３）。ユーザが「左」キー１７ｉを操作すると（ブロックＣ３でＹＥＳ）、制御部５６は現行タブの左隣のタブに対応するコンテンツをコンテンツ表示領域１０２に表示し、当該左隣のタブを現行タブに代わって強調表示する（ブロックＣ４）。すなわち、当該左隣のタブが新たな現行タブとされる。ただし、タブＴ５の左隣のタブはタブＴ４、タブＴ１の左隣のタブはタブＴ８であるとする。
【００７６】
図７（Ｂ）に示すように、上方タブ表示領域１０３ｃで最も左側のタブＴ５が、現行タブとして選択され強調表示されている状態において、ユーザが「左」キー１７ｉの操作を行った場合、タブＴ５の左隣のタブは存在しない。この場合は、タブＴ４がタブＴ５の左隣のタブであるとされ、表示領域１００の表示状態は図７（Ａ）の表示状態に復帰する。制御部５６は、上方タブ表示領域１０３ｃに表示されていたタブＴ５〜Ｔ８を下方タブ表示領域１０３ｄに表示し、下方タブ表示領域１０３ｄに表示されていたタブＴ１〜Ｔ４を上方タブ表示領域１０３ｃに表示して、上下のタブを入れ替える。また、現行タブＴ５の左隣のタブであるとされたタブＴ４が、上方タブ表示領域１０３ｃにおいて強調表示される。コンテンツ表示領域１０２には、タブＴ４に対応するコンテンツ（メニュー画面）が表示される。
【００７７】
ユーザが操作したキーが「左」キー１７ｉではないと判断された場合（ブロックＣ３でＮＯ）、制御部５６は、ユーザが操作したキーが「上」キー１７ｊであるか否かを判断する（ブロックＣ５）。ユーザが「上」キー１７ｊを操作したと判断された場合（ブロックＣ５でＹＥＳ）、制御部５６は、上方タブ表示領域１０３ｃに表示されていたタブを下方タブ表示領域１０３ｄに表示し、下方タブ表示領域１０３ｄに表示されていたタブを上方タブ表示領域１０３ｃに表示して、上下のタブを入れ替える。（ブロックＣ６）。
【００７８】
図７（Ａ）の表示画面が表示領域１００に表示されている状態において、ユーザが「上」キー１７ｊの操作を行うと、表示領域１００の表示状態は図７（Ｃ）のように更新される。すなわち、上方タブ表示領域１０３ｃに表示されていたタブＴ１〜Ｔ４が下方タブ表示領域１０３ｄに表示され、下方タブ表示領域１０３ｄに表示されていたタブＴ５〜Ｔ８が上方タブ表示領域１０３ｃに表示され、タブの上下が入れ替えわる。図７（Ａ）において、現行タブＴ４の直下にはタブＴ８が表示されている。図７（Ｃ）では、このタブＴ８が現行タブであるとされ、上方タブ表示領域１０３ｃにおいて強調表示される。あるいは上方タブ表示領域１０３ｃにおいて最も左のタブＴ５が新たな現行タブとして選択されてもよい。
【００７９】
一方、ユーザが操作したキーが「上」キー１７ｊではないと判断された場合（ブロックＣ５でＮＯ）、制御部５６は、ユーザが操作したキーは「下」キー１７ｋであると判断する。ユーザが「下」キー１７ｉを操作した場合は、表示領域１００の表示状態は変わらず、そのまま処理を終了する。
【００８０】
第３の実施形態においては、第２方向キー群１７ｇに含まれる「右」キー１７ｈ、「左」キー１７ｉの操作によって、現行タブを左右に切り替えることができる。「右」キー１７ｈ、「左」キー１７ｉには、それぞれ対応する方向を指示する符号が付されている。ユーザはこれらの符号を参照してタブの切り替えを行うことができるので、操作が直観的に理解しやすい。
【００８１】
また、「上」キー１７ｊの操作が行われると、下方タブ表示領域１０３ｄに表示されていたタブＴ５〜Ｔ８が、上方タブ表示１０３ｃに表示される（タブＴ５〜Ｔ８が上昇する）。ユーザは、「上」キー１７ｊに付された上方を指示する符号を参照して、タブの上下を入れ替えることができる。従って、操作が直観的に理解しやすい。
【００８２】
第３の実施形態では、「下」キー１７ｊの操作がなされた場合には、表示状態を変えずに、そのまま処理を終了した。しかしながら、「下」キー１７ｊの操作に応じて、表示領域１００の表示状態を変化させてもよい。例えば、「下」キー１７ｊが操作されたら、下方タブ表示領域１０３ｄを非表示として、ウィンドウ１０１上にコンテンツ表示領域１０２及び上方タブ表示領域１０３ｃのみを表示させるようにしてもよい。コンテンツ表示領域１０２及び上方タブ表示領域１０３ｃが、「下」キー１７ｊの操作に応じて下方に拡張されて表示されるため、操作が直観的に理解しやすい。あるいは、「下」キー１７ｊが操作されたら、コンテンツ表示領域１０２をウィンドウ１０１において全画面表示するようにしてもよい。コンテンツ表示領域１０２が、「下」キー１７ｊの操作に応じて下方に拡張されて表示されるため、操作が直観的に理解しやすい。
【００８３】
また、「下」キー１７ｋの操作が行われた場合に、上方タブ表示領域１０３ｃに表示されるタブと下方タブ表示領域１０３ｄに表示されるタブを入れ替えてもよい。
【００８４】
（第４の実施形態）
第４の実施形態のブロック図は第１の実施形態のブロック図と同一であるので、図示を省略する。
【００８５】
図９は、第４の実施形態による映像表示器１４の表示領域１００の表示例を示す図である。第１の実施形態と同様に、映像表示器１４の表示領域１００上にはウィンドウ１０１が設けられている。当該ウィンドウ１０１内のコンテンツ表示領域１０２には、様々なコンテンツが表示可能である。ウィンドウ１０１の下方にはタブ表示領域１０３が設けられている。タブ表示領域１０３には、複数のタブ（本実施形態では４つのタブＴ１〜Ｔ４）が並列して表示される。表示されたタブ上には、放送番組のチャンネル情報といった当該タブに対応する表示コンテンツを示す文字情報（あるいはアイコン等）が重ねて表示される。タブ表示領域１０３に表示された複数のタブから１つのタブがユーザによって選択されると、当該選択されたタブに対応する表示コンテンツがコンテンツ表示領域１０２に表示される。図９（Ａ）ではタブＴ１が選択されているため、当該タブＴ１に対応する表示コンテンツ（電子番組表）がコンテンツ表示領域１０２に表示されている。ユーザによって選択され、対応する表示コンテンツがコンテンツ表示領域１０２に表示されているタブを「現行タブ」と称する。選択された現行タブは、図９（Ａ）に示すように、コンテンツ枠１０４と一体化して表示される、あるいは色を変えて表示されるなどして強調表示される。
【００８６】
ユーザはリモートコントローラ１７に備えられた第１方向キー１７ｆを操作することによって、コンテンツ表示領域１０２に表示されているコンテンツの表示画面をスクロールして閲覧することができる。また、第２方向キー群１７ｇ（「右」キー１７ｈ、「左」キー１７ｉ、「上」キー１７ｊ、「下」キー１７ｋ）を操作することによって、コンテンツ表示領域１０２に表示されるコンテンツを切り替えたり、タブの表示形態を変更したりすることができる。
【００８７】
図１０は、第４の実施形態における表示切り替え処理を示すフローチャートである。
【００８８】
この表示切り替え処理は、ユーザがリモートコントローラ１７に備えられた第２方向キー群１７ｇを操作すると開始される。
【００８９】
制御部５６は、ユーザが操作したキーが「右」キー１７ｈであるか否かを判断する（ブロックＤ１）。ユーザが「右」キー１７ｈを操作すると（ブロックＤ１でＹＥＳ）、制御部５６は現行タブの右隣のタブに対応するコンテンツをコンテンツ表示領域１０２に表示し、当該右隣のタブを現行タブに代わって強調表示する（ブロックＤ２）。すなわち、当該右隣のタブが新たな現行タブとされる。図９（Ａ）の表示画面が表示領域１００に表示されている状態において、ユーザが「右」キー１７ｈの操作を行うと、表示領域１００の表示状態は図９（Ｂ）のように更新される。図９（Ａ）では、現行タブとしてタブＴ１が選択され強調表示されている。また、タブＴ１に対応する表示コンテンツ（電子番組表）がコンテンツ表示領域１０２に表示されている。従って、ユーザが「右」キー１７ｈの操作を行うと、タブＴ１の右隣のタブＴ２がタブＴ１に代わって強調表示され、タブＴ２に対応する表示コンテンツ（放送番組）がコンテンツ表示領域１０２に表示される。
【００９０】
現行タブとして右端のタブＴ４が選択され強調表示されている状態において、ユーザが「右」キー１７ｈの操作を行う場合、タブＴ４の右隣にタブは存在しない。この場合は左端のタブＴ１が循環的にタブＴ４の右隣のタブであるとされて強調表示され、当該タブＴ１に対応する表示コンテンツ（図９の例では電子番組表）がコンテンツ表示領域１０２に表示される。
【００９１】
ユーザが操作したキーが「右」キー１７ｈではないと判断された場合（ブロックＤ１でＮＯ）、制御部５６は、ユーザが操作したキーが「左」キー１７ｉであるか否かを判断する（ブロックＤ３）。ユーザが「左」キー１７ｉを操作すると（ブロックＤ３でＹＥＳ）、制御部５６は現行タブの左隣のタブに対応するコンテンツをコンテンツ表示領域１０２に表示し、当該左隣のタブを現行タブに代わって強調表示する（ブロックＤ４）。すなわち、当該左隣のタブが新たな現行タブとされる。
【００９２】
図９（Ａ）に示すように、現行タブとして左端のタブＴ１が選択され強調表示されている状態において、ユーザが「左」キー１７ｉの操作を行う場合は、右端のタブＴ４が循環的にタブＴ１の左隣のタブであるとして強調表示され、当該タブＴ４に対応する表示コンテンツ（メニュー画面）がコンテンツ表示領域１０２に表示される。
【００９３】
ユーザが操作したキーが「左」キー１７ｉではないと判断された場合（ブロックＤ３でＮＯ）、制御部５６は、ユーザが操作したキーが「下」キー１７ｋであるか否かを判断する（ブロックＤ５）。ユーザが操作したキーが「下」キー１７ｋではないと判断された場合（ブロックＤ５でＮＯ）、制御部５６はユーザが操作したキーは「上」キー１７ｊであると判断する。ユーザが「上」キー１７ｊを操作すると、制御部５６はコンテンツ表示領域１０２に表示されたコンテンツの拡大処理を行う（ブロックＤ６）。
【００９４】
図９（Ａ）の表示画面が表示領域１００に表示されている状態において、ユーザが「上」キー１７ｊの操作を行うと、表示領域１００の表示状態は図９（Ｃ）のように更新される。すなわち、現行タブＴ１に対応するコンテンツ（電子番組表）が、拡大されてコンテンツ表示領域１０２に表示される。拡大された表示コンテンツ全体が、コンテンツ表示領域１０２に納まらない場合には、第１方向キー１７ｆによってコンテンツ表示領域１０２のスクロール表示を行うことが可能である。
【００９５】
ユーザが操作したキーが「下」キー１７ｋであると判断された場合（ブロックＤ５でＹＥＳ）、制御部５６は、ユーザが操作したキーは「下」キー１７ｋであると判断する。ユーザが「下」キー１７ｋを操作すると、制御部５６はコンテンツ表示領域１０２に表示されたコンテンツの縮小処理を行う（ブロックＤ７）。
【００９６】
図９（Ｃ）の表示画面が表示領域１００に表示されている状態において、ユーザが「下」キー１７ｋの操作を行うと、表示領域１００は図９（Ａ）の表示状態に復帰する。
【００９７】
第４の実施形態においては、第２方向キー群１７ｇに含まれる「右」キー１７ｈ、「左」キー１７ｉの操作によって、現行タブを左右に切り替えることができる。「右」キー１７ｈ、「左」キー１７ｉには、それぞれ対応する方向を指示する符号が付されている。ユーザはこれらの符号を参照してタブの切り替えを行うことができるので、操作が直観的に理解しやすい。
【００９８】
また、「上」キー１７ｊの操作が行われると、コンテンツ表示領域１０２に表示されているコンテンツが拡大され、「下」キー１７ｋの操作が行われると、当該コンテンツは縮小される。「上」キー１７ｊ、「下」キー１７ｋには、それぞれ対応する方向を指示する符号が付されている。ユーザはこれらの符号を参照して、表示を拡大したい場合は「上」キー１７ｊを、縮小したい場合には「下」キー１７ｋを操作することで、表示領域１００の表示状態を変更することができる。
【００９９】
第４の実施形態では、「上」キー１７ｊの操作に応じてコンテンツ表示領域１０２に表示された表示コンテンツの拡大処理を行い、「下」キー１７ｋの操作に応じて表示コンテンツの縮小処理を行った。しかしながら、表示コンテンツの拡大縮小を行わずに、タブに重ねて表示されている当該タブに対応する表示コンテンツを示す文字情報（あるいはアイコン等）の拡大縮小を行うようにしてもよい。
【０１００】
上述の各実施形態においては、１つのタブ表示領域には４つのタブが並列（あるいは縦列）に表示された。しかしながら、１つのタブ表示領域に表示可能なタブの数は４つに限られない。１つのタブ表示領域に表示可能なタブの数は、ユーザが予め設定できるようにしてもよい。
【０１０１】
上述の各実施形態においては、コンテンツ表示領域１０２に表示される表示コンテンツには、たとえばメニュー画面や電子番組表等が含まれていた。メニュー画面では、放送受信装置１１に関する設定を行うことができる。メニュー画面に対応するタブ（例えば図３ではタブＴ４）が現行タブとして選択されている場合は、コンテンツ表示領域１０２には所定のメニュー画面が表示される。ユーザはこのメニュー画面上のガイダンス表示に従って、例えば１つのタブ表示領域に表示可能なタブの数等の設定を行うことができる。
【０１０２】
また、ユーザは電子番組表によって、所望の番組の視聴予約又は録画予約を行うことができる。電子番組表に対応するタブ（例えば図３ではタブＴ１）が現行タブとして選択されている場合は、コンテンツ表示領域１０２には、電子番組表が表示される。制御部５６は、アンテナ４３又は４８によって受信されるデジタル放送信号から、あるいはネットワークを介して、番組表情報を取得することができる。ＯＳＤ信号生成部５４は、取得した番組表情報に基づいて電子番組表の画面データを生成する。当該生成された電子番組表の画面データが、コンテンツ表示領域１０２に表示され、ユーザはこの電子番組表画面に含まれるガイダンスに従って、所望の番組を選択、視聴予約又は録画予約を行うことができる。
【０１０３】
コンテンツ表示領域１０２には、さらに他のアプリケーションの表示画面等を表示することもできる。例えば電子メール作成用のアプリケーションが起動された場合、電子メール作成画面がコンテンツ表示領域１０２に表示され、対応するタブ（例えば図７のタブＴ７）がタブ表示領域１０３に表示される。
【０１０４】
上述の各実施形態においては、映像表示器１４の表示領域１００に１つのウィンドウ１０１が表示された。しかしながら、表示領域１００には、複数のウィンドウが表示されてもよい。複数のウィンドウそれぞれにおいて、コンテンツ表示領域１０２及びタブ表示領域１０３が設けられ、上述の表示切り替え処理（図３、図５、図７又は図９参照）が行われてもよい。
【０１０５】
上述の各実施形態においては、リモートコントローラ１７には、第１方向キー１７ｆ、及び第２方向キー群１７ｇが設けられていた。「右」キー１７ｈ、「左」キー１７ｉ、「上」キー１７ｊ及び「下」キー１７ｋを備える第２方向キー群１７ｇは、円形の第１方向キー１７ｆの外側に、当該第１方向キーと同心となるよう円環状に配置された。しかしながら、第１方向キー１７ｆの形状は円形には限らず、他の形状をとってもよい。第２方向キー群１７ｇの形状も円環状には限られない。「右」キー１７ｈ、「左」キー１７ｉ、「上」キー１７ｊ及び「下」キー１７ｋは、必ずしも分離されている必要はなく、一つのキーとして一体化されてもよい。第２方向キー群１７ｇには、「右」キー１７ｈ、「左」キー１７ｉのみが設けられていてもよい。この場合は、タブの左右の切り替えのみが可能となる。あるいは、第１のモードと第２のモードを切り替えられるようにして、第１のモードが設定されている場合は、「右」キー１７ｈ、「左」キー１７ｉの操作によってタブの切り替えをおこない、第２のモードが設定されている場合は、「右」キー１７ｈの操作を上述の各実施形態における「上」キー１７ｊの操作に、「左」キー１７ｉの操作を上述の各実施形態における「下」キー１７ｋの操作にそれぞれ対応させてもよい。第２のモードでのキーの対応関係は、上記以外にも設定可能である。また、第２方向キー群１７ｇは、必ずしも第１方向キー１７ｆの外側に設けられる必要はない。第２方向キー群１７ｇは、第１方向キー１７ｆとは同心状に配置されず、リモートコントローラ１７上の別の位置に配置されてもよい。「右」キー１７ｈ、「左」キー１７ｉ、「上」キー１７ｊ及び「下」キー１７ｋの各キーは、一つのキーとして一体化されて、第１方向キー１７ｆとは離れたリモートコントローラ１７の別の位置に配置されてもよく、あるいは操作部１６に配置されてもよい。「右」キー１７ｈ及び「左」キー１７ｉを一つのキーとして一体化し、「上」キー１７ｊ及び「下」キー１７ｋを別の一つのキーとして一体化してもよい。これらのキーはリモートコントローラ１７あるいは操作部１６の任意の位置に配置可能である。また、第１の方向キー１７ｆ及び第２の方向キー群１７ｇは、上下左右の４方向を指すものでなくても構わず、ユーザが直観的に指示の方向を認識できるものであればよい。
【０１０６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、１つの実施形態に示される全構成要件から幾つかの構成要件が削除されたり、幾つかの実施形態に示される構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１０７】
【図１】本発明によるコンテンツ表示装置の実施形態に係る放送受信装置の電気的構成を示すブロック図。
【図２】リモートコントローラの外観の一例を示す図。
【図３】第１の実施形態による映像表示器の表示例を示す図。
【図４】第１の実施形態による表示切り替え処理を示すフローチャート。
【図５】第２の実施形態による映像表示器の表示例を示す図。
【図６】第２の実施形態による表示切り替え処理を示すフローチャート。
【図７】第３の実施形態による映像表示器の表示例を示す図。
【図８】第３の実施形態による表示切り替え処理を示すフローチャート。
【図９】第４の実施形態による映像表示器の表示例を示す図。
【図１０】第４の実施形態による表示切り替え処理を示すフローチャート。
【符号の説明】
【０１０８】
１１…放送受信装置、１４…映像表示器、１５…スピーカ、１６…操作部、１７…リモートコントローラ、１７ａ…電源キー、１７ｂ…入力切り替えキー、１７ｃ…衛星デジタル放送チャンネルのダイレクト選局キー、１７ｄ…地上波放送チャンネルのダイレクト選局キー、１７ｅ…クイックキー、１７ｆ…第１方向キー、１７ｎ…チャンネルアップダウンキー、１７ｏ…音量調整キー、１７ｇ…第２方向キー群、１７ｈ…「右」キー、１７ｉ…「左」キー、１７ｊ…「上」キー、１７ｋ…「下」キー、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ、６８…アナログチューナ、６９…アナログ復調器、１００…表示領域、１０１…ウィンドウ、１０２…コンテンツ表示領域、１０３…タブ表示領域、１０４…コンテンツ枠。
【図１】
2009016942.tif 000003
【図２】
2009016942.tif 000004
【図３】
2009016942.tif 000005
【図４】
2009016942.tif 000006
【図５】
2009016942.tif 000007
【図６】
2009016942.tif 000008
【図７】
2009016942.tif 000009
【図８】
2009016942.tif 000010
【図９】
2009016942.tif 000011
【図１０】
2009016942.tif 000012